(57)【要約】【課題】例えばＧＲＣ板からなる外壁面材を採用する外壁パネルにおいて、熱橋部を減らして屋内への外気温の伝わりを抑制でき、また、求められる耐火性能を容易に満足させうる構造のコンクリート系外壁パネルを提供する。【解決手段】ＧＲＣ板からなる外壁面材２の背面部に、高ナットアンカー４が高ナット部４ａを外方に突出させるように、埋込み状態にされて備えられ、金属製のパネルフレーム３が、前記外壁面材２の背面側に、ボルト５を前記アンカーの高ナット部４ａに螺合することで、外壁面材２と所定の間隔をおくようにして取り付けられている。また、外壁面材２とパネルフレーム３との間に不燃性の断熱材８が挟み込まれて取り付けられている。【選択図】      図１
2004263427.tif 000002
【特許請求の範囲】
【請求項１】
プレキャストコンクリート板からなる外壁面材の背面部に、高ナットアンカーが高ナット部を外方に突出させるように、埋込み状態にされて備えられ、
金属製のパネルフレームが、前記外壁面材の背面側に、ボルトを前記アンカーの高ナット部に螺合することで、外壁面材と所定の間隔をおくようにして取り付けられていることを特徴とするコンクリート系外壁パネル。
【請求項２】
外壁面材とパネルフレームとの間に不燃性の断熱材が挟み込まれて取り付けられている請求項１に記載のコンクリート系外壁パネル。
【発明の詳細な説明】
【０００１】
【発明の属する技術分野】
本発明は、コンクリート系外壁パネルに関する。
【０００２】
【従来の技術】
例えばＧＲＣ板を外壁面材とする外壁パネルでは、外壁面材の背面側に金属製のパネルフレームが取り付けられるが、従来は、パネルフレームが外壁面材の背面側に接触状態となって取り付けられていた。
【０００３】
【発明が解決しようとする課題】
しかしながら、ＧＲＣ板をはじめとするプレキャストコンクリート板からなる外壁面材は、断熱性能に優れず、そのため、従来のように、パネルフレームが外壁面材の背面側に接触状態となって取り付けられていたのでは、パネルフレームが熱橋となって、外気温が屋内に伝えられやすいという問題があった。
【０００４】
また、この種の外壁パネルでは、プレキャストコンクリート板が断熱性能に優れないものであるなかで、耐火性能を満足する構造にしておく必要がある。
【０００５】
本発明は、上記のような背景において、プレキャストコンクリート板からなる外壁面材を採用する外壁パネルにおいて、熱橋部を減らして屋内への外気温の伝わりを抑制することができ、また、求められる耐火性能を容易に満足させることができる構造のコンクリート系外壁パネルを提供することを課題とする。
【０００６】
【課題を解決するための手段】
上記の課題は、プレキャストコンクリート板からなる外壁面材の背面部に、高ナットアンカーが高ナット部を外方に突出させるように、埋込み状態にされて備えられ、
金属製のパネルフレームが、前記外壁面材の背面側に、ボルトを前記アンカーの高ナット部に螺合することで、外壁面材と所定の間隔をおくようにして取り付けられていることを特徴とするコンクリート系外壁パネルによって解決される。
【０００７】
この外壁パネルでは、パネルフレームが外壁面材に対して間隔をおいて取り付けられているので、パネルフレームが直接に熱橋部となることがなく、ただ、外気温は、外壁面材、高ナットアンカーを通じてパネルフレームに伝えられることがあるのみで、熱橋部を大幅に減らすことができて屋内への外気温の伝わりを抑制することができる。従ってまた、特にＧＲＣ板を外壁面材とするような場合は、外壁面材にＧＲＣ板を採用することによる外壁面材の薄肉化の利点を失わせることなく、熱橋部を減らして屋内への外気温の伝わりを抑制することができる。
【０００８】
しかも、高ナットアンカーが、その高ナット部を外方に突出させるように外壁面材の背面側に埋込み状態にされ、この高ナットアンカーで外壁面材とパネルフレームとの間に間隔をおく構造であるから、高ナットアンカーが、外壁面材とパネルフレームとの接合の役割と、外壁面材とパネルフレームとの間に間隔をおく役割の二つの役割を果たすため、外壁面材とパネルフレームとの間に簡素な構造でかつコスト的に有利に間隔をおくことができる。
【０００９】
上記の外壁パネルにおいて、外壁面材とパネルフレームとの間に不燃性の断熱材が挟み込まれて取り付けられている場合は、不燃性断熱材を外壁面材とパネルフレームとの間のスペースを利用して容易に設置することができ、不燃性断熱材の取付けも容易に行うことができ、この不燃性断熱材によって耐火のための現場吹付けを省略できて、外壁パネルの耐火性能を容易に満足させることができる。更に、この不燃性断熱材によって、屋内への外気温の伝わりがより一層効果的に抑制されるようにすることもできる。
【００１０】
【発明の実施の形態】
次に、本発明の実施形態を図面に基づいて説明する。
【００１１】
図１乃至図３に示す第１実施形態の外壁パネル１において、２は外壁面材、３は金属製のパネルフレーム、４は高ナットアンカー、５はボルトである。外壁面材２は、プレキャストコンクリート板としてのＧＲＣ板からなっていて、屋外側の面部にはタイル６…が備えられている。この外壁面材２はこのようにＧＲＣ板からなっているが、その背面側に通常備えられるリブは、本実施形態では備えられておらず、外壁面材２の背面側は凹凸のない平坦面に形成されている。
【００１２】
そして、この外壁面材２の背面部には、高ナットアンカー４が高ナット部４ａを外方に突出させるように、埋込み状態にされて備えられている。高ナットアンカー４は、図２（イ）（ロ）（ハ）に示すように、高ナット部４ａの一端にアンカー部となるプレート４ｂを一体的に取り付けたもので、プレート４ｂには複数の孔４ｃ…が分散状態に明けられ、プレート４ｂをコンクリート中に埋込み状態にすることによって、高ナットアンカー４が外壁面材２にしっかりと接合されるようになされている。外壁面材２への高ナットアンカー４の埋込みは、型枠への面材用コンクリートの打込みの祭に高ナットアンカー４をコンクリート中に埋込み状態にセットすることなどによって行われたものである。外壁面材２の背面側からの高ナット部４ａの突出長さは、例えば２０ｍｍである。
【００１３】
このように、ＧＲＣ板はもとより、プレキャストコンクリート板による外壁面材２の場合には、型枠へのコンクリートの流し込みにおいて高ナットアンカー４をコンクリート中に埋込み状態にセットすれば高ナットアンカー４を外壁面材２の背面側に一体的に取り付けることができ、外壁面材背面側への高ナットアンカー４の取付けを容易に行うことができる。背面フラットなＧＲＣ板ならなおさらである。
【００１４】
パネルフレーム３は、形鋼、本実施形態では山形鋼からなっていて、図３に示すように、上下の横枠３ａ，３ｂと、左右の縦枠３ｃ，３ｄとが含まれ、更に、中間高さ位置における上下の横桟３ｅ，３ｆも含まれている。いずれのパネルフレーム３も、一方の辺の板部を外壁面材２の背面側に向け、もう一方の辺の板部を外壁面材２とは反対の側に突出させるようにして、外壁面材２に組み付けられる。
【００１５】
そして、各パネルフレーム３には、図２（ロ）に示すように、外壁面材２の背面側に備えられている高ナットアンカー４の高ナット部４ａと同心位置において、ボルト通孔７…が明けられており、このボルト通孔７に、パネルフレーム３をはさんで外壁面材２とは反対の側からボルト５を通し、ボルト５を高ナット部４ａに螺合することによって、図２（イ）に示すように、ボルト５の頭部５ａと、高ナット部４ａの端面とでパネルフレーム３のボルト通孔７の周縁部を挟み込み、この挟込みによって、パネルフレーム３は、外壁面材２の背面側に、外壁面材２と所定の間隔をおくようにして取り付けられている。
【００１６】
この取付け状態において、外壁面材２とパネルフレーム３との間には、高ナットアンカー４の高ナット部４ａの突出長さに相当する間隔がおかれる。本実施形態の場合は、高ナット部４ａの突出長さが２０ｍｍであるので、外壁面材２とパネルフレーム３との間には２０ｍｍの間隔がおかれている。
【００１７】
このように上記の外壁パネル１では、パネルフレーム３が外壁面材２に対して間隔をおいて取り付けられているので、パネルフレーム３が直接に熱橋部となることがなく、熱橋部を大幅に減らすことができて、屋内への外気温の伝わりを効果的に抑制することができる。従ってまた、本実施形態の場合のように、外壁面材２がＧＲＣ板であるときは、外壁面材２にＧＲＣ板を採用することによる外壁面材の薄肉化の利点を失わせることなく、熱橋部を減らして屋内への外気温の伝わりを抑制することができる。
【００１８】
しかも、高ナットアンカー４が、その高ナット部４ａを外方に突出させるように外壁面材２の背面側に埋込み状態にされ、この高ナットアンカー４で外壁面材２とパネルフレーム３との間に間隔をおく構造であるから、高ナットアンカー４が、外壁面材２とパネルフレーム３との接合の役割と、外壁面材２とパネルフレーム３との間に間隔をおく役割の二つの役割を果たすため、外壁面材２とパネルフレーム３との間に簡素な構造でかつコスト的に有利に間隔をおくことができる。
【００１９】
図４乃至図６に示す第２実施形態の外壁パネル１は、基本構造を第１実施形態の外壁パネル１と同じにしているが、ただ、外壁面材２とパネルフレーム３との間に不燃性の断熱材８が挟み込まれて備えられている点で相違している。その他は第１実施形態と同様である。
【００２０】
この不燃性断熱材８は、例えばロックウールフェルトなどの繊維系断熱材からなっていて、図４乃至図６に示すように、パネルフレーム３で囲まれた内部のそれぞれに不燃性断熱材８…が備えられ、各不燃性断熱材８…は、その周縁部が、全周にわたって外壁面材２とパネルフレーム３とに挟み込まれて取り付けられている。このように不燃性断熱材８を分割構造にすることで、不燃性断熱材８に高ナットアンカーを通す孔を明ける必要をなくすことができ、ただ、高ナット部４ａを逃がす切欠きを周縁部に備えさせるだけでよく、不燃性断熱材８を容易に外壁パネル１に組み込むことができる。
【００２１】
本実施形態の外壁パネル１では、このように、外壁面材２とパネルフレーム３との間に不燃性の断熱材８が挟み込まれて取り付けられているので、不燃性断熱材８を外壁面材２とパネルフレーム３との間のスペースを利用して設置することができると共に、不燃性断熱材８の取付けをパネルフレーム３を利用して容易に行うことができ、この不燃性断熱材によって耐火のための現場吹付けを省略できて、外壁パネル１の耐火性能を容易に満足させることができる。更に、この不燃性断熱材８によって、屋内への外気温の伝わりがより一層効果的に抑制されるようにすることもできる。
【００２２】
以上に、本発明の実施形態を示したが、本発明はこれに限られるものではなく、発明思想を逸脱しない範囲で各種の変更が可能である。例えば、上記の実施形態では、外壁面材として、ＧＲＣ板を用いた場合を示したが、その他のプレキャストコンクリート板からなっていもよい。また、高ナットアンカー４において、高ナット部４ａの端部には、種々の構造のアンカー部が備えられていてよい。
【００２３】
【発明の効果】
本発明は、以上のとおりのものであるから、プレキャストコンクリート板からなる外壁面材を採用する外壁パネルにおいて、熱橋部を減らして屋内への外気温の伝わりを抑制することができる。また、求められる耐火性能を容易に満足させることができる。
【図面の簡単な説明】
【図１】第１実施形態の外壁パネルを示すもので、図（イ）は断面側面図、図（ロ）は断面底面図である。
【図２】図（イ）はパネルフレームと外壁面材との接合部を示す拡大断面側面図、図（ロ）は同分解断面側面図、図（ハ）は高ナットアンカーの平面図である。
【図３】同外壁パネルの背面図である。
【図４】第２実施形態の外壁パネルを示すもので、図（イ）は外壁パネルの断面側面図、図（ロ）は部分拡大断面側面図である。
【図５】同外壁パネルの背面図である。
【図６】外壁面材と不燃性断熱材とパネルフレームとを分離状態にして示す斜視図である。
【符号の説明】
１…外壁パネル
２…外壁面材
３…パネルフレーム
４…高ナットアンカー
４ａ…高ナット部
５…ボルト
８…不燃性断熱材
【図１】
2004263427.tif 000003
【図２】
2004263427.tif 000004
【図３】
2004263427.tif 000005
【図４】
2004263427.tif 000006
【図５】
2004263427.tif 000007
【図６】
2004263427.tif 000008